(57)【要約】【課題】  玉子の形をした樹脂製の玉子の殻で、二分割だけでなくコツン、コツンと物に当てる事により、鳥の卵の殻が割れる様に、ランダムに割れる樹脂で作られる、玉子の殻を作る事が大きな課題であった。【解決手段】  卵の形をした樹脂製の玉子の殻で、鳥の卵の殻が割れる様に、ランダムに割れるには、樹脂製の玉子の殻を、凹面側、又は凸面側よりルーター等の切削具で、ランダムに円弧を描き、溝を彫り割れる方向を誘導する事で、ランダムに割れる鳥の卵に似せた殻玉子が出来上がる。  【選択図】        図２
2013199300.tif 000002
【特許請求の範囲】
【請求項１】
コツンコツンと物に当て割れる、鳥の卵に似せた樹脂の殻玉子。
【請求項２】
請求項１の殻玉子に、玉子の凹面側全面に、複数の円弧の溝を設けた樹脂の殻玉子。
【請求項３】
請求項１の殻玉子に、玉子の凸面側全面に、複数の円弧の溝を設けた樹脂の殻玉子。
【請求項４】
樹脂の殻玉子に、ランダムに円弧が書かれた、シートを張り付円弧に沿って樹脂の殻玉
子に溝を彫ってゆく方法。
【発明の詳細な説明】
【技術分野】
【０００１】
本発明は卵様に樹脂で作られた、殻玉子に関するものである。
【背景技術】
【０００２】
現在市販されている、樹脂の玉子の殻はコツン、コツンと物に当て、卵の殻が割れる様
に、ランダムに殻の割れる物は、市販されて無かった。
【０００３】
卵の形をした樹脂製で中に、おもちゃ、駄菓子、おみくじ等を入れ封入した玉子形の物
がある、但しこれは殻が分割、組立てが可能に成っていて、殻を約半分に分割する物が市
販されている、殻を再度組立て殻の中へ物を収納可能なもので、殻玉子４がランダムに割
れるものは無かった。
【特許文献１】公開実用新案公報  平３−１１１９５７
【特許文献２】公開実用新案公報  平２−１４１４９５
【特許文献３】公開実用新案公報  平２−８３２１０
【特許文献４】特開平６−９０６６７
【非特許文献４】株式会社キドワキ商店                  住所    大阪府大阪市鶴見区今津北１−７−３４                  電話  ０６−６９６２−３７７５                  プラスチック製の玉子の容器製造販売
【発明の開示】
【発明が解決しようとする課題】
【０００４】
卵の形をした樹脂の殻玉子１で、二分割だけでなくコツン、コツンと物に当てる事によ
り、卵の殻が割れる様に、ランダムに割れる樹脂で作られる、玉子の殻を作る事が大きな
課題であった。
【０００５】
卵の形をした樹脂の殻玉子１であって、卵の殻が割れる様に、ランダムに割れる方向を
誘導する円弧３を描き、樹脂の破片の先端が丸く円弧を描いた、溝５を樹脂製の殻に彫る
事が大きな課題で有った。
【０００６】
樹脂をランダムに割る、円弧の溝５を彫る下書きのシートを作成する事が、大きな課題で有った。
【課題を解決するための手段】
【０００７】
卵の形をした樹脂製の殻玉子１で、卵の殻が割れる様に、コツン、コツンと物に当てて
ランダムに割れるには、樹脂製の殻玉子１を、凹面側又は凸面側に、図２に示す様にラン
ダムに複数の円弧３を描き、溝５を複数彫って行く、ランダムに割れるための、樹脂製の
殻玉子４を作るには大まかに次の、四工程が必要である。
イ）シート上に笹の葉状１０に切断できる、連続した連携する円弧１３を書き、図−５
のシートを作る第一工程と。
ロ）図−５のシートを笹の葉状１０に切断し、半球状の樹脂の殻大、７、小、８に貼り付ける第二工程と。
ハ）半球状の樹脂の殻大、７、小、８、に貼り付けられたシートに書かれている、円弧
１３に沿ってルーターで溝５を切削する、第三工程と。
ニ）溝５の彫られた半球状の樹脂の殻、大、７、小、８を卵形に接合する第四工程とが
あります。
【０００８】
樹脂の殻玉子１の半球状の樹脂の殻大、７、小、８、の其々の頂点から殻玉子１の接合
部分１２までの寸法を半径とする円１６を書き、円１６の中心点を元に、円の中心点から
円周を等分した、等分線１５を挟み込み放物線１４を左右から書き込むと、笹の葉状１０
の形が出来上がる、笹の葉状１０の物を等分線上１５に、円周方向へ複数書き円弧１３を
複数書く事で、図−５が出来あがる。
【０００９】
左右の放物線１４を書き込んだ笹の葉状１０の物に、円の中心点から円周方向へ、又は
円周方向から円の中心点に向け、左右の放物線上１４を中心とし、連続した円弧１３を書
いて行く、左右の放物線１４に囲まれた部分にも、円弧１３を書き込む。
【００１０】
シートに書いた笹の葉状１０の放物線１４と、連続し連携する円弧１３の寸法は計算で
きませんので、樹脂の殻玉子１に貼り付け、幾度となく張替え試作を行った結果の図−５
であって、試作に用いた樹脂の殻玉子１の寸法は短径５７ｍｍ、長径７９ｍｍであって、
半球状の樹脂の殻小、８の頂点から接合点までは、５２ｍｍ、半球状の樹脂の殻大７、の
頂点から接合部分までも５２ｍｍと成りました。
【００１１】
図−５の円１６に沿ってシートを切断し、笹の葉状１０の放物線１４に沿ってシートを
切断した物を、樹脂の殻玉子１の半球状の大、７、小、８の頂点より、接合ライン２の方
向へ地球儀を製作する時に地図を、経度に沿って球に貼って行くように、半球状の樹脂の
殻大、小、８、の全周に貼り合わせる事で、半球状の樹脂の殻大、７、小、８、に其々出
来あがる。
【００１２】
半球状の樹脂の殻大、７、小、８、に貼り付けられたシートの円弧１３に沿ってルータ
ーを用い、溝５を念入りに切削して行く、ランダムに割れるには隣り合った円弧の溝５が
、連続し、連携しなくては成らない。
【００１３】
半球状の樹脂の殻大７、小８、其々に、ルーター等の切削具又は焼き付け具、型抜きな
どで、凹面側又は凸面側に、ランダムに円弧３を描き、樹脂がランダムに割れる様に、誘
導する溝５を彫った半球状の樹脂の殻大、７、小、８を、卵形に接着剤で接合する事で、
コツンコツンと物に当てる事により、ランダムに割れる樹脂の、殻玉子４が出来上がる方
法。
【発明の効果】
【００１４】
卵に似せた殻玉子４を、コツンコツンと物に当て玉子の殻４を割る事で、卵の殻を割る
作業に似せた、同じ充足感が得られる。
【００１５】
本発明の殻玉子４を利用して、樹脂の殻玉子菓子を作る事で、製菓業において需要の拡
大が見込まれ、製菓業の製造販売の増加が期待される。
【００１６】
本発明を利用した樹脂の殻玉子４が、製菓業で樹脂の殻玉子菓子として、製造販売され
る事で、樹脂の需要拡大が見込まれ、樹脂の製造販売の増加が期待される。
【図面の簡単な説明】
【００１７】
【図１】樹脂の殻玉子、立面図。
【図２】半球状の樹脂の殻大７、小８、の殻を繋ぎ合せ円弧の彫られた樹脂の殻玉子。
【図３】図−２のＡ−Ａ断面、半球状の樹脂の殻小、拡大図。
【図４】図−２のＡ−Ａ断面、半球状の樹脂の殻大、拡大図。
【図５】笹の葉状の放物線内に、円弧を書いたシートの図。
【図６】樹脂の殻玉子に笹の葉状のシートを貼り付けた殻玉子。
【発明を実施するための形態】
【００１８】
本発明中、半球状と記載しているものは、楕円で短径は同じ寸法で、長径の寸法が異な
る大、７、小、８、の楕円状でラグビィーボール形状の、ボールの中身は空洞で、左右半
分にしたものを半球状と言います、楕円の寸法は多々考えられますが、通常は鳥の卵大と
し、左右其々大きさの異なる大７、小８、を左右に組合せ卵形に形成した、卵形の物を殻
玉子と言います。
【００１９】
本発明の中では、卵と玉子の使い分けを行っていますが、鳥が産卵した卵を表す時に、
卵と記載し、殻４の玉子を含む殻玉子を表す時には、玉子と記載しています、使い分けに
意図は無く社会一般では、混同された使い方をされていますが、本文中判り易く説明を行
うために、使い分けを行っています。
【００２０】
樹脂で作る鳥の卵に似せた樹脂の殻玉子１については、市販されている玉子では、樹脂
の殻４を割った時に、破片の先端が鋭利に尖った状態に成るものがあり、殻４を分離する
時に手、指先に刺し傷を作る恐れが有り、殻４がランダムに割れる方向を誘導する、溝、
５を表した線、６に添って、溝、５が彫られた方向に添って、丸く殻玉子４が円弧３を描
く様に、誘導されてランダムに割れる事で手、指先に傷つける事が無くなります。
【００２１】
本発明の中でルーターと言われる、工具名を記載していますが、ルーターは洋式鉋と言
われ、金属、木、ガラス、樹脂等をＶ形、丸形、平らにカットする時に用いる、刃物が回
転する方式の物をを言います、又コンピューターネットワークに、使用する物の中にルー
ターと呼ばれる設備が有りますが、このコンピューターネットワークに、使用されるルー
ターとは関りは有りません。
【００２２】
第一工程のシート上に書かれた図ー５を書くには樹脂の殻玉子１の実寸を、頂点から接
合部分までの沿面距離を計測すると、半球状の樹脂の殻大、７、小、８共に５２mmであっ
た、故に半径５２mmの円を書き、其の円を１２等分し円の中心よりの、等分線を中心に同一寸法の放物線を円の中心より左右対称に、記載する左右対称に記載された放物線を中心ラインとして円弧をランダムに連続して記載、シート上の等分線を中心として、放物線と円弧を円周上に記載してゆくと、図−5を作り上げる。
【００２３】
図−５の円１６に沿ってシートを切断し、笹の葉状１０の放物線１４に沿ってシートを
切断した物を、樹脂の殻玉子１の半球状の大、７、小、８の頂点より、接合ライン２の方
向へ地球儀を製作する時に地図を、経度に沿って球に貼って行くように、半球状の樹脂の
殻大、７、小、８、の全周に貼り合わせる事で、半球状の樹脂の殻大、７、小、８、に其々
出来あがる。
【００２４】
半球状の樹脂の殻大、７、小、８、に貼り付けられたシートの円弧１３に沿ってルータ
ーを用い、溝５を念入りに切削して行く、ランダムに割れるには隣り合った円弧の溝５が
、連続し、連携しなくては成らない、図−６の円弧、放物線には多少の誤差が有る、きち
んとした計算上の放物線、円弧となっていないが、手作業で円弧、放物線、円、を切削す
る、故に多少の誤差は切削中において修正が可能である。
【００２５】
半球状の樹脂の殻大、７、小、８に円弧と放物線を切断し、樹脂がランダムに割れる様に誘導する溝５が切削できた、半球状の殻大、７、小、８は樹脂を接着する接着剤で接合する事でランダムに割れる樹脂の殻玉子４が出来る。
【産業上の利用可能性】
【００２６】
本発明は樹脂加工業で製造販売される事が考えられる。
【００２７】
本発明は製菓業、駄菓子、玩具製造業にて包装材として、用いる事が考えられる。
【符号の説明】
【００２８】
１  市販されている樹脂の殻玉子。
２  市販されている樹脂の殻玉子で二分割される接合ライン
３  樹脂の凹面側又は凸面側全面に、ランダムに記載された円弧
４  コツン、コツンと物に当てて、ランダムに割れる樹脂の殻玉子
５  樹脂の殻玉子の凹面側又は凸面側全面にランダムに彫られた円弧の溝
６  樹脂の割れる方向に、誘導する溝を表した線
７  半球状の樹脂の殻大
８  半球状の樹脂の殻小
９  樹脂の殻玉子の厚み部分
１０笹の葉状
１１大の接合部分
１２小の接合部分
１３シートに描いた円弧
１４笹の葉状を表した放物線
１５等分線
１６半球状の樹脂の殻、頂点から接合部分までの寸法を半径とした円。
１７半球状の樹脂の殻大、及び、小、の凹面部分
【図１】
2013199300.tif 000003
【図２】
2013199300.tif 000004
【図３】
2013199300.tif 000005
【図４】
2013199300.tif 000006
【図５】
2013199300.tif 000007
【図６】
2013199300.tif 000008